(57)【特許請求の範囲】
【請求項１】
熱交換器を有する複数の室内機と、室外機と、制御弁と、該熱交換器内に流れる冷媒温度を検知する温度センサと、前記室内機と前記室外機と前記制御弁を制御する一つまたは複数の制御部とを有し、前記室外機と該室内機とが配管パイプ及び配線とで接続されている多室型空気調和機において、前記圧縮機を運転させてから各室内機に対応する前記制御弁を一つずつ順番に開いていき、前記熱交換器の温度情報に規定温度以上に変化が生じる室内機を前記制御弁に対応する室内機であると判定するとともに、前記室内機と前記制御弁が接続されていることを前記制御部に記憶し、一度特定の制御弁と接続されていると判定された室内機は、次の室内機探索の対象から除外する誤配線チェック手段が用いられていることを特徴とする多室型空気調和機。
【発明の詳細な説明】
【０００１】
【発明の属する技術分野】
本願発明は、１台の室外ユニット及び複数の室内ユニットからなる多室型空気調和機に係り、特に据え付き工事時における各室内ユニットと室外ユニットとの間の配管と配線の整合性、いわゆる誤配線チェック方式の改良に関するものである。
【０００２】
【従来の技術】
近年、一般家庭における空気調和機の普及とともに、同一の家庭に複数の空気調和機が設置されるようになってきた。特に、新設住宅及び既設住宅での改築時には、一部屋毎の快適制御等の性能の向上、長冷媒配管での信頼性の向上や、室外ユニットが１台ですむ設置スペースの有効利用とそれに伴うエクステリアの美観性、またさらには総合的な経済性等により、複数の室内ユニットを１台の室外ユニットに接続し、そして制御する多室空気調和機が選ばれることが多くなってきている。
【０００３】
従来、この種の複数の室内ユニットを有する多室空気調和機の据え付け工事時には、作業者が気をつけていても、室内ユニットからの配管と配線を室外ユニットの接続すべきところに接続せずに、誤って他の室内ユニット用の接続部に接続してしまう場合がある。そして、このような誤配線のままで室内ユニットを運転すると、室内ファンが運転していない室内ユニットに冷媒が流れ、その室内ユニットの熱交換器が凍結を生じ、最悪の場合には室内ユニットからの水漏れにいたってしまう不具合や室内ユニットの配管接続されていない室内ユニット用の接続用端子台に配管接続されている室内ユニットの配線を接続することにより、圧縮機は運転するが冷媒は流れずポンプダウン運転となり、機器の大きな損傷をいたらしめる不都合があった。
【０００４】
このため設置終了時に誤配線チェックを必ず行なわなければならない。誤配線チェックの方法として１台１台人手に頼って行う方法もあるが、その工数が多大な為に図４のフローチャートに示す解決策が提案されている。この内容は各室内ユニットの室内熱交換器に配管温度センサ、具体的には室内熱交換器の内部に流れる冷媒の温度を検知する配管温度センサを設けて冷房運転して、室内ユニットの室内熱交換器に冷媒が流れることにより前記配管温度センサの検知温度が変化することを利用して、又、より確実性を増すために各室内ユニットを複数の温度センサ、具体的には室内の空気温度を検知する吸入温度センサと室内熱交換器の内部を流れる冷媒の温度を検知する配管温度センサを設けて、冷媒が流れている室内ユニットの吸入温度と配管温度との温度差が停止している室内ユニットのその温度差により大きいことを利用して、運転信号を受けている室内ユニットが本当に運転中か或いは、室内ユニット間の接続電線の接続誤りで停止中であるかの判断手段を設けている。又、室内ユニットを冷媒分岐ユニットを介して室外ユニットに接続している場合は冷媒分岐ユニットに配管温度センサを設けた場合と同じく考えで、運転信号を受けている室内ユニットが本当に運転中かまたは、接続誤りで停止中かの判断手段を設けている。
【０００５】
そして、いずれの場合でも、前記フローチャートに示すようにチェックモードを設定することにより室外ユニットを運転し、各室内ユニットを１台ごと順番に一定時間（５分〜１０分）運転することを繰り返して、誤配線チェックを行っていた。
【０００６】
又、施工者が配線をどのように入れ替えても、全ての複数台の室内機の接続関係が判断できる技術が開示されいる。該技術は、空気調和機の室外機１台と複数台の室内機とを接続し、室外機に電源供給を行うと、室外機制御部によって圧縮機が起動し、冷凍回路内の冷媒がある１台の室内機の熱交換器に流した後、熱交換器に接続されている温度センサが冷媒の温度を検知し室内制御部に伝達される。前記室内制御部は、温度センサの検知温度を温度情報として、信号線を通じて室外機のある信号部に送信され、前記信号部より室外機制御部に伝達される。前記室外機制御部は、各信号部からの信号すなわち温度情報と比較するので、温度情報が変化した信号部が認識でき、よって、ある1台の室内機の配管部と信号部との対応が分かる。以上の動作を繰り返すことにより、各室内機の配管部と信号部との対応がすべて判別でき、全ての複数台の室内機が正しく接続されたことを判断できるというものである。
【０００７】
このように、従来においては、圧縮機を運転させてから各室内機に対応する制御弁を１つずつ順番に開いていき、室内熱交換器温度情報に変化の生じる室内をその制御弁に対応する室内だと判定するのみであった。
【０００８】
【発明が解決しようとする課題】
しかしながら、従来の構成においても確かに室内ユニット間の誤配線チェックは可能であるが、接続される室内ユニット間が多数である場合には、その誤配線チェックに要する時間が多大なものとなり、制御弁を１つずつ動作していた室内機の熱交換器温度の変化方向が制御弁の変化に敏感に反応できず、次の室内の探索時に、前回決定した室内と同じ室内が選択されてしまうという問題が生じて誤配線チェックに多大な時間を要していた。
【０００９】
従って、本願発明において、上記問題を解決した誤配線チェック手段を提供することを目的とする。
【００１０】
【課題を解決するための手段】
上記課題を解決するために、本願発明は、熱交換器を有する複数の室内機と、室外機と、制御弁と、該熱交換器内に流れる冷媒温度を検知する温度センサと、前記室内機と前記室外機と前記制御弁を制御する一つまたは複数の制御部とを有し、前記室外機と該室内機とが配管パイプ及び配線とで接続されている多室型空気調和機において、前記圧縮機を運転させてから各室内機に対応する前記制御弁を一つずつ順番に開いていき、前記熱交換器の温度情報に規定温度以上に変化が生じる室内機を前記制御弁に対応する室内機であると判定するとともに、前記室内機と前記制御弁が接続されていることを前記制御部に記憶し、一度特定の制御弁と接続されていると判定された室内機は、次の室内機探索の対象から除外する誤配線チェック手段が用いられていることを特徴とする多室型空気調和機である。
【００１２】
【発明の実施の形態】
以下に本願発明の実施例を図１乃至図３を参照しながら説明する。尚、実施例は室内機Ｂ１，Ｂ２，Ｂ３，Ｂ４の４台として説明することとする。図３に示すように多室空気調和機用の室外機１０１には、室内機Ｂ１に対して制御弁Ａ１が、室内機Ｂ２に対して制御弁Ａ２が、室内機Ｂ３に対して制御弁Ａ３が、室内機Ｂ４に対して制御弁Ａ４が配設されており、各制御弁Ａ１，Ａ２，Ａ３，Ａ４を通じて室外機１０１と各室内機Ｂ１，Ｂ２，Ｂ３，Ｂ４とが接続されることとなる。該室内機Ｂ１，Ｂ２，Ｂ３，Ｂ４には各々熱交換器２０１，２０２，２０３，２０４が配設されており、各熱交換器２０１，２０２，２０３，２０４には温度センサが設置されている。又、室外機には誤配線チェックスイッチ２００が配設されており、該誤配線チェックスイッチ２００を押すと全室内機Ｂ１，Ｂ２，Ｂ３，Ｂ４へ誤配線チェック動作の信号がシリアル信号にて送信されて全室内機Ｂ１，Ｂ２，Ｂ３，Ｂ４に配設されたファンが回転される。そして、各熱交換器２０１，２０２，２０３，２０４の温度が配設されている温度センサにより測定され、室外機１０１内に配設されているマイコン２０５に温度情報として送信され、該マイコン２０５内のメモリに記憶される。ここにおいて、熱交換器２０１の温度をＴ１０と、熱交換器２０２の温度をＴ２０と、熱交換器２０３の温度をＴ３０と、熱交換器２０３の温度をＴ３０として記憶される。そして、圧縮機をＯＮ状態にしてから制御弁Ａ１のみが開かれる。この状態において、各室内機Ｂ１，Ｂ２，Ｂ３，Ｂ４の熱交換器２０１，２０２，２０３，２０４の温度が測定される。該各々の測定温度を熱交換器２０１に対してＴ１、熱交換器２０２に対してＴ２、熱交換器２０３に対してＴ３、熱交換器２０４に対してＴ４として、室外機１０１内のマイコン２０５に送信され、各熱交換器の温度変化、即ち熱交換器２０１に対してはＴ１０−Ｔ１、熱交換器２０２に対してはＴ２０−Ｔ２、熱交換器２０３に対してはＴ３０−Ｔ３、熱交換器２０４に対してはＴ４０−Ｔ４が常時監視されている。そして、これらの温度変化が規定温度Ｔj以上となる室内機の探索が行われる。即ち、この場合においては、Ｔ１０−Ｔ１の温度差が規定温度Ｔｊ以上となるので、制御弁Ａ１は室内機Ｂ１に対応していると判定され室内機Ｂ１は決定済みであるということがマイコン２０５に記憶される。そして、決定されていない室内機、即ち室内機Ｂ２，Ｂ３，Ｂ４の探索がされる。次の、室内機の探索に移る前に再度全室内機Ｂ１，Ｂ２，Ｂ３，Ｂ４の熱交換器２０１，２０２，２０３，２０４の温度Ｔ１０，Ｔ２０，Ｔ３０，Ｔ４０が更新されてマイコン２０５内のメモリに記憶される。その後、制御弁Ａ１が閉じられ、制御弁Ａ２が開けられる。この状態において、各室内機Ｂ１，Ｂ２，Ｂ３，Ｂ４の熱交換器２０１，２０２，２０３，２０４の温度が測定され、熱交換器２０１に対してＴ１、熱交換器２０２に対してＴ２、熱交換器２０３に対してＴ３、熱交換器２０４に対してＴ４として、室外機１０１内のマイコン２０５に送信され、各熱交換器の温度変化、即ち熱交換器２０１に対してはＴ１０−Ｔ１、熱交換器２０２に対してはＴ２０−Ｔ２、熱交換器２０３に対してはＴ３０−Ｔ３��熱交換器２０４に対してはＴ４０−Ｔ４が常時監視されている。そして、これらの温度変化が規定温度Ｔj以上となる室内機の探索が行われる。この時、前回決定された室内機、この場合においては室内機Ｂ１の温度変化は数時間のアンダーシュート現象により数時間の間は規定温度Ｔｊ以上が保持されることとなるので、次の室内機の決定時には、決定済みである室内機、この場合においては室内機Ｂ１を除く室内機Ｂ２，Ｂ３，Ｂ４の中から決定することとなる。この方法を採ることにより同じ室内機の決定が重複されるという不具合が防止されることとなる。従って、次に室内機Ｂ２が決定されることとなる。同様にして、４室全ての室内機の探索が行われることとなる。
【００１３】
図２に熱交換器温度が変化する室内機の探索のフローチャートが示されている。まず、室内機Ｂ１が決定済みであるかどうかの判断がされ、室内機Ｂ１が決定されていなければ、上述したように熱交換器２０１の温度変化が規定温度Ｔｊ以上であるかどうか判定される。そして、規定温度Ｔｊ以上であるならば室内機Ｂ１であることが決定され室内機の探索は終了され、規定温度Ｔｊより小さければ室内機Ｂ２かどうかの判定へと移る。又、既に室内機Ｂ１が決定済みであるならば、室内機Ｂ２への判定へと移る。同様に、室内機Ｂ２の判定段階において、室内機Ｂ２が決定済みであるかどうかの判断がされ、室内機Ｂ２が決定されていなければ、上述したように熱交換器２０１の温度変化が規定温度Ｔｊ以上であるかどうか判定される。そして、規定温度Ｔｊ以上であるならば室内機Ｂ２であることが決定され室内機の探索は終了され、規定温度Ｔｊより小さければ室内機Ｂ３かどうかの判定へと移る。又、既に室内機Ｂ２が決定済みであるならば、室内機Ｂ３への判定へと移る。同様に、室内機Ｂ３の判定段階において、室内機Ｂ３が決定済みであるかどうかの判断がされ、室内機Ｂ３が決定されていなければ、上述したように熱交換器２０１の温度変化が規定温度Ｔｊ以上であるかどうか判定される。そして、規定温度Ｔｊ以上であるならば室内機Ｂ３であることが決定され室内機の探索が終了され、規定温度Ｔｊより小さければ室内機Ｂ４かどうかの判定へと移る。又、既に室内機Ｂ３が決定済みであるならば、室内機Ｂ４への判定へと移る。同様に、室内機Ｂ４の判定段階において、室内機Ｂ４が決定済みであるかどうかの判断がされ、室内機Ｂ４が決定されていなければ、上述したように熱交換器２０１の温度変化が規定温度Ｔｊ以上であるかどうか判定される。そして、規定温度Ｔｊ以上であるならば室内機Ｂ４であることが決定され室内機の探索が終了され、規定温度Ｔｊより小さければ室内機Ｂ１かどうかの判定へと移る。又、既に室内機Ｂ４が決定済みであるならば、室内機Ｂ１への判定へと移る。
【００１４】
尚、実施例では室内機を４台としたが、４台と限定されるわけでもなく何台の設定でも構わない。又、実施例においては冷房運転としたが、暖房運転を用いてもよく、その作用効果に差異は生じない。
【００１５】
又、室外機に温度情報等の処理を行うマイコンが装備されているが、室内機に設けてもよく、更に、室内機各々に室内制御部を設けて熱交換器に流れる冷媒の温度変化を解析し、その解析結果を室外機に設けられた室外機制御部に送信し、室外制御部において誤配線であるかどうかの判定をするようにしてもよい。
【００１６】
尚、誤配線であると判定された場合には、誤配線であることを知らせる点滅又は点灯ランプを設けるようにしても、音ブザーによって通知するような構成としても構わない。
【００１７】
【発明の効果】
本願発明の誤配線チェックによると、室内機全室の室内ファンを回し、室外機は圧縮機を起動させると同時に、１つ目の制御弁を開く。この時、冷房運転ならば、開いている制御弁に対応する室内機の熱交換器温度が下がってくるので、それがどの部屋から室外機のマイコンは常に探索する。室外機が室内熱交換器温度を得る手段は室内外間のシリアル通信によるものである。探索の結果ある１つの室内機が決定されれば、今まで開いていた制御弁は閉じ、２つ目の制御弁を開く。この時、前回決定した室内機の熱交換器の温度変化はアンダーシュート現象を起こすが、次の室内の探索時には、この熱交換器温度は無視し、他の決定されていない室内のみを探索の対象とする。このような処理をすることにより、誤配線のチェックを行うことができる。
【図面の簡単な説明】
【図１】本願発明を示すフローチャートである。
【図２】本願発明を示すフローチャートである。
【図３】本願発明の多室空気調和機の構成図である。
【図４】従来の多室空調機の作用を示すフローチャートである。
【符号の説明】
Ｂ１，Ｂ２，Ｂ３，Ｂ４  室内機
Ａ１，Ａ２，Ａ３，Ａ４  制御弁
１０１                  室外機
２０１                  熱交換器
２０２                  熱交換器
２０３                  熱交換器
２０４                  熱交換器
２００                  誤配線チェックスイッチ
２０５                  マイコン
２０９                  配線
２１０                  配管パイプ
【図１】
0003645784.tif 000002
【図２】
0003645784.tif 000003
【図３】
0003645784.tif 000004
【図４】
0003645784.tif 000005